Podtech/llm-jp-corpus-v4-ja_patent huggingface dataset:
(57)【要約】      （修正有）【課題】肩掛け方式の携帯型で落花、落葉を吸入ホースから自在に吸入し効率的に清掃可能な落葉収集機を提供する。【解決手段】吸入用の円筒パイプの直径を家庭用掃除機などのものより太くし、さらに吸入口はラッパ状に稍広げてあり、これにより風が吹いている時でも妨げられることもなく効率よく清掃することが可能である。また吸引力が弱く電気を余り消費しないモーターを採用する事により敷き詰められた玉石の中の軽い落葉や小枝だけを簡単に収集できる。肩掛け方式で吸引モーターの操作も片手でできるので効率的で、また収集状態が透明容器であるから目視し溜まった時はパッチ錠の開閉によってゴミ袋に空けられ効率よく清掃できる。【選択図】図２
0003142715.tif 000002
【実用新案登録請求の範囲】
【請求項１】
本体は立方体の形状をしており次の項目のものが具備されている、
１）立方体の長辺を横にした形の落葉収集用の筐体の頭部に落葉を吸入する吸込口を持ち、
２）その吸込口内部は吸入ホースの挿入を容易にするためにテーパーが施されている、
３）先端にテーパーを付けた接合部を持った蛇腹ホースとそれに直結するために同じくテーパーを付けた収集ホースよりなる、なおこの収集ホースの逆側先端は落葉を容易に吸入出来るようラッパ状にやや広げられている、
４）筐体上部には収集の駆動部として落葉を吸入するためのモーター及びそれを駆動させるための蓄電池が具備されており、その起動は筐体上部に具えられた電源スイッチの開閉によって行う、
５）なお筐体の吸込口と反対側の部分は蓋状になっており蝶番により開閉が自由に出来るようになっている、
６）吸入用パイプから吸い込まれた落ち葉が筐体吸込口を軽て筐体内に溜まった状態を外部から目視できるよう筐体は透明性の合成樹脂を用いていて、溜まった場合は随時蓋を開きゴミ袋に空ける。
６）筐体上部の電源スイッチに近い部分から筐体開閉用のパッチ錠に近い部分に肩掛け用ベルトが装着されている、以上からなる肩掛け式落葉収集機。
【考案の詳細な説明】
【考案の詳細な説明】
【技術分野】
【０００１】  本考案は、肩掛け方式の携帯型で自在に効率的に落花や落葉を吸入し清掃するための落葉収集機である。
【背景技術】
【０００２】  従来、この種の装置は見受けられないが強いて言えば、ゴルフの試合でグリーン上の落葉がパターラインの妨げるのを避けるために落葉を吹き払う方式のものしか見あたらない。
【考案が解決しようとする課題】
【０００３】  従来、春季の落花や小さな落実、特に秋の落葉は量が多く季節風の頻繁に吹いた後の清掃は厄介なものであり，加えて春秋の季節は風の吹く日が多く箒で清掃してやっと集めて塵取りに入れようとしたりゴミ袋に入れようとする時、折り悪しく風に吹き飛ばされ手こずることが多い、また敷き詰めた玉石の中に散った落葉は箒ではなかなか収集できない。
【課題を解決するための手段】
【０００４】  本考案は、これらの問題点に鑑み作業の円滑化を考え筐体を肩掛け方式とし、落ち葉などの収集を片手で操作でき、且つ収集が安易にできるよう吸入用の円筒パイプの直径を家庭用掃除機などのものより太くし、さらに吸入口はラッパ状に稍広げてあり、これにより風が吹いている時でも妨げられることもなく効率よく清掃することが可能である、また一般電気掃除機のように強力な吸引力を持つものは玉石などを吸い込んでしまうのと電力を消費するので、逆に吸引力が弱く電気を余り消費しないモーターを採用する事により敷き詰められた玉石の中の軽い落葉や小枝だけを簡単に収集できる。
【考案を実施するための最良の形態】
【０００５】  本考案は、筐体上部に具備された吸引用モーター起動用の電源スイッチの入切によって随時に落花、落葉を吸入できるのと肩掛式のため片手で収集パイプを自由に移動できるので作業性が良く、その上収集した落ち葉などの量が透明な筐体のため目視できるので溜まった時は随時パッチ錠を開けゴミ袋に空けられる。
【実施例】
【０００６】  上記の考案の実施の形態で述べた通り。
【考案の効果】
【０００７】  本考案は、肩掛け方式で小型に作られているから両手が自由に使え一方の手で収集用のホースを操作し、もう一方の手で吸引用モーターの起動を随時入切できるから作業性が良く風に煩わされることもなく効率良く清掃ができ、その上敷き詰められた玉石の中に舞い込んだ枯葉や小枝を玉石を吸い込まず清掃することができる。
【図面の簡単な説明】
【図１】本装置の正面図である。
【図２】本装置の側面図である。
【図３】本装置の吸入パイプ図である。
【図４】本装置を上部から見た図である。
【図５】本装置側面破断図である。
【符号の説明】
１    筐体                      ８    蝶番
２    吸入口                    ９    蛇腹ホース
３    肩掛けベルト            １０    収集口
４    筐体脚                  １１    収集ホース
５    電源スイッチ            １２    モーター
６    吹出口                  １３    蓄電池
７    パッチ錠                １４    フィルター
【図１】
0003142715.tif 000003
【図２】
0003142715.tif 000004
【図３】
0003142715.tif 000005
【図４】
0003142715.tif 000006
【図５】
0003142715.tif 000007
(57)【要約】      （修正有）【課題】伸縮又は屈折が可能な蛇腹と、スプーンとを単体のストローから成形・加工し両機能を設ける事により、ボトル容器内上部及び天井部に残った化粧水、乳液、保湿クリーム、ジェル等を効果的に掬い出す事が出来る、曲がるスプーンストローを提供する。【解決手段】伸縮又は屈折が可能な蛇腹と、スプーンとを単体のストローから成形・加工し両機能を設ける事を特徴とする。【選択図】図１
0003142711.tif 000002
【実用新案登録請求の範囲】
【請求項１】
伸縮又は屈折が可能な蛇腹と、スプーンとを単体のストローから成形・加工し両機能を設ける事を特徴とする、曲がるスプーンストロー。
【考案の詳細な説明】
【技術分野】
【０００１】  本考案は、容器に残った化粧水、乳液、保湿クリーム、ジェル等を最後まで取り出す為に使用する、伸縮又は屈折が可能な蛇腹と、スプーンとを単体のストローから成形・加工し両機能を設ける事を特徴とする、曲がるスプーンストローに関する。
【背景技術】
【０００２】  市販されている化粧水、乳液、保湿クリーム、ジェル等は通常は瓶又はプラスチック容器に入っており、中栓、スプレー方式、ポンプ方式等によって適量を取り出せるようになっている。さらに吸引装置やオーバーキャップと本体ボトル容器とはネジ構造になっており、分離が可能である。しかし、本体ボトル容器の内部に比べて容器キャップネジ部分の口径は極めて小さく、中に残った製品を最後まで取り出す事は極めて困難であった。【０００３】  化粧水、乳液、保湿クリーム、ジェル等の容器は、デザイン性が重要視されている為、容器キャップネジ部分から本体ボトル容器にかけて、ほぼ直角になるように成形・加工されている。特にこの本体ボトル容器上部及び天上部に付着した化粧水、乳液、保湿クリーム、ジェル等は流動性が悪い為、通常の使用において取り出しが極めて困難であり、高価な化粧品を最後まで使いきる事無く廃棄されているのが現状である。【０００４】  これまでに公知されているストローには、ストローの一部に蛇腹機能を設け、折り曲げて飲料水等を飲みやすくする製品や、ストローの先端部をスプーン状に成形・加工し、かき氷等の冷凍菓子を食べやすくする為のストローが生産・使用されているが、蛇腹機能と、スプーン機能とを同一のストローに設けている物は使用目的が考えられず、生産・使用されていなかった。【０００５】  なお、本考案に関連する公知技術として次の実用新案文献を挙げる事が出来る。
【実用新案文献１】
【０００６】  登録実用新案第３０３３３３３号
【考案の開示】
【考案が解決しようとする課題】
【０００７】  上記の如く、化粧水、乳液、保湿クリーム、ジェル等に使用されている容器の大半は、容器キャップネジ部分から本体ボトル容器にかけて直角に近い形に成形・加工が成されている為、ボトル上部及び天上部に付着した流動性の悪い化粧品を取り出す事が極めて困難であった。【０００８】  本考案は、このような点に鑑みて成されたものであり、その目的は、伸縮又は屈折が可能な蛇腹と、スプーンとを単体のストローから成形・加工し両機能を設ける事により、ボトル容器内上部及び天井部に残った化粧水、乳液、保湿クリーム、ジェル等を効果的に掬い出す事が出来る、曲がるスプーンストローを提供する事である。
【課題を解決するための手段】
【０００９】  上述の目的を達成する本考案の曲がるスプーンストローは、伸縮又は屈折が可能な蛇腹と、スプーンとを単体のストローから成形・加工し両機能を設ける事を特徴とする。【００１０】  一例として、本体ボトル容器下部及び底に残った化粧水、乳液、保湿クリーム、ジェル等をストローが折れ曲がる事無く掬い出す事が出来るように、蛇腹側先端部をスプーン状に成形・加工されたストローの持ち手端部にも、スプーン状に成形・加工が成される。
【考案の効果】
【００１１】  以上説明したように本考案によれば、伸縮又は屈折が可能な蛇腹と、スプーンとを単体のストローから成形・加工し両機能を設ける事により、ボトル容器上部及び天井部に残った高級化粧水、乳液、保湿クリーム、ジェル等を効果的に取り出す、曲がるスプーンストローを提供する事が出来る。
【考案を実施する為の最良の形態】
【００１２】  以下、本考案の実施の形態を図面に基づき詳細に説明する。
【００１３】  図１〜図３は本考案の実施の形態に係わり、図１はその全体図、図２及び図３は市販されている化粧水、乳液、保湿クリーム、ジェル等の容器と、本考案の曲がるスプーンストローの使用時の様子を説明したものである。
【００１４】  図１、図２、図３に示すように本考案の曲がるスプーンストロー１は、本体の一部に蛇腹２を、そして、その先端部に成形・加工を施したスプーン３を設ける。
【００１５】  図２が示すように蛇腹２とスプーン３は、容器キャップネジ部分６から容器ボトル本体５にかけて直角に近い形に成形・加工が成されている容器に、蛇腹２を約１８０度折り曲げた状態の曲がるスプーンストロー１を容器ボトル本体５に挿入し回転させると、蛇腹２の反発力が働き、先端に設けたスプーン３が容器内部に付着した化粧水、乳液、保湿クリーム、ジェル等を掬う事が出来るような位置に設けられる。
【００１６】  図３が示すように容器ボトル本体５の底部に付着した化粧水、乳液、保湿クリーム、ジェル等を掬う為に、曲がるスプーンストロー１の持ち手端部にも成形・加工を施したスプーン４を設ける。
【００１７】  この曲がるスプーンストローに用いられる素材は、成形及び加工に優れている合成樹脂が望ましい。
【００１８】  以上、考案の実施の形態及び実施例を説明したが、本考案の範囲はこれに限定されるものではない。例えば、蛇腹部の位置は、曲がるスプーンストローの中央から先端部までの間で、状況に応じて適時選択されるものである。また、蛇腹及びスプーンの形状ならびに寸法は、状況に応じて適時選択されるものである。さらに、用途も化粧水、乳液、保湿クリーム、ジェル等の化粧品にのみ使用するものに限らず、容器に入った流動性の悪い液体日用製品にも用いることが可能である。
【産業上の利用可能性】
【００１９】  本考案は一般家庭での家庭用品として製造・販売する産業分野で利用する事ができる。
【図面の簡単な説明】
【００２０】
【図１】  本考案の実施の形態に係わる、曲がるスプーンストローの全体図である。
【図２】  市販されている化粧水、乳液、保湿クリーム、ジェル等の容器と、本考案の曲がるスプーンストローの使用時の様子を説明したものである。
【図３】  市販されている化粧水、乳液、保湿クリーム、ジェル等の容器と、本考案の曲がるスプーンストロー持ち手端部のスプーン使用時の様子を説明したものである。
【符号の説明】
【００２１】１      曲がるスプーンストロー
２      蛇腹
３      蛇腹側先端部に成形・加工を施したスプーン
４      持ち手端部に成形・加工を施したスプーン
５      容器ボトル本体
６      容器キャップネジ部分
【図１】
0003142711.tif 000003
【図２】
0003142711.tif 000004
【図３】
0003142711.tif 000005
(57)【要約】      （修正有）【課題】簡単、綺麗、安全にサーフボード等を修理し、不要な廃棄樹脂を出さない為の簡易補修剤を提供する。【解決手段】紫外線硬化樹脂１を台紙２と弱粘性フィルム３で挟んだものを、台紙を剥がし補修部に樹脂をフィルムと共に貼り紫外線で硬化させた後、フィルムを剥がすだけで簡単、綺麗に修理が出来る。【選択図】図１
0003142717.tif 000002
【実用新案登録請求の範囲】
【請求項１】
サーフボード等の成形物の補修を簡単で綺麗に修理するために、紫外線硬化形の樹脂を台紙と弱粘性テープで挟んだ補修財
【考案の詳細な説明】
【技術分野】
【０００１】本考案は、サーフボード等の成形物の補修を簡単で綺麗、安全に修理するためのものである
【背景技術】
【０００２】従来の補修剤は液状、ジェル状、板状などで出来ており補修後に削るなど、手間がかかり又空気が入ったり補修部から流れたりして素人には上手く補修する事ができなかった。更に手を汚さずには作業が行えなかった
補修のために使う樹脂が余り廃棄しなくてはならず環境にも悪かった
【考案の開示】
【考案が解決しようとする課題】
【０００３】解決しようとする問題点は、不要な廃棄樹脂を出さず簡単に補修が出来るシステムを作る事である
【課題を解決するための手段】
【０００４】本考案は紫外線硬化型樹脂を台紙と透明な弱粘性フィルムで挟み、補修部に台紙を剥がした本考案品をフィルムと共に貼り太陽光などの紫外線を当て硬化させ、フィルムを剥がし補修を完了させる
【考案の効果】
【０００５】本考案の補修剤は台紙とフィルムで挟まれているため、手を汚さない。
樹脂は必要な大きさに出来ているので、不用な樹脂を廃棄する必要が無い
弱粘性フィルムがパッケージと補修時に固定する役目を持っている
フィルムの表面が平坦なため樹脂の硬化後の表面も平坦になり、削ったり磨いたりせずとも綺麗な仕上がりになる。
【考案を実施するための最良の形態】
【０００６】本考案の補修剤をサーフボードなどの補修部を研磨した部分に台紙を剥がし、フィルムを持ち樹脂部を補修部にあてる、フィルムを補修部の周りに貼り付ける、フィルムが樹脂を固定するので、硬化している間に樹脂がずれてきたり、剥がれたりする事を防ぐ事ができる。その後フィルムの上から押し付けしっかりとサーフボードに密着させる、この際も一切樹脂に触れる事が無く安全で手を汚す事がない、補修部を太陽光もしくは紫外線ライトに５〜１０分位当てると硬化するので、硬化後にフィルムを剥がす。フィルムの表面の綺麗さが硬化した樹脂の表面となるため、削ったり磨いたりしなくても、綺麗な仕上がりとなる。樹脂にはガラスクロスが入っているので強度も強い。
【産業上の利用可能性】
【０００７】本考案は補修剤だけではなく、色々な形状や色を付けることによりステッカーのような装飾にも使え、また硬化前は柔軟性があるので、曲面にも貼れる利点と硬化させればＦＲＰ樹脂の強度も出る。
【実施例】
【０００８】以下、添付図面に従って一実施例を説明する。１は紫外線硬化型樹脂、２は樹脂を乗せる台紙、３は台紙に乗せた樹脂を挟み補修時に固定膜となる弱粘性フィルム、これを補修部に貼り付け硬化させ補修が完了する
【図面の簡単な説明】
【０００９】
【図１】本考案のＦＲＰ簡易補修剤の正面図である
【図２】本補修剤の分解図である
【図３】本補修剤を補修部に貼り付けた図である
【図４】本考案の形状を変えた例の図である
【符号の説明】
【００１１】１  紫外線硬化型樹脂
２  台紙
３  弱粘性フィルム
【図１】
0003142717.tif 000003
【図２】
0003142717.tif 000004
【図３】
0003142717.tif 000005
【図４】
0003142717.tif 000006
(57)【要約】      （修正有）【課題】木の葉の形状を示し葉脈を設けたピックガードを提供する。【解決手段】板材１と板材２を木目に対して４０度から５０度の角度を設けて接ぎ合わせて葉脈を設ける。接ぎ合わせた板材を木の葉の形状に設定すると美観で魅力が出てくる。【選択図】図１
0003142716.tif 000002
【実用新案登録請求の範囲】
【請求項１】
木の葉の形状を示し葉脈を設けたことを特徴とするピックガード。
【請求項２】
前記葉脈は、２枚の板材の木目に対して４０度から５０度の角度を設けて接ぎ合わせたことを特徴とする請求項１記載のピックガード。
【考案の詳細な説明】
【技術分野】
【０００１】  この考案は、ギターに貼り付けるピックガードの形状に関する。
【背景技術】
【０００２】  従来のギターに用いるピックガードの形状は、図２に示すように、１枚の材料を形成したものである。
【考案の開示】
【考案が解決しようとする課題】
【０００３】  しかしながら、以上の技術によれば、デザイン的にも個性があり、ギターの表板とピックガードが融合して、魅力を持たせる。
そこで、この考案は、木の葉の形状を示し葉脈を設けたピックガードを提供することを課題とする。
【課題を解決するための手段】
【０００４】  以上の課題を解決するために、第一考案は、木の葉の形状を示し葉脈を設けたことを特徴とする
また、第二考案は、葉脈は２枚の板材の木目に対して４０度から５０度の角度を設けて接ぎ合わせたことを特徴とする。
【考案の効果】
【０００５】  第一考案、または第二考案によれば、ピックガードに木の葉の形状を示し葉脈を設けたので、ギター全体が魅力を持った。
【考案を実施するための最良の形態】
【０００６】  この考案の一実施形態を、図１に示す。
ピックガードは木製であり、木目に対して４０度から５０度の角度を設けた板材１と板材２を接ぎ合わせている。この接ぎ合わせた板材を木の葉の形状に設けられている。【０００７】「実施形態の効果」
この実施形態によれば、木の葉の形状を示し葉脈を設けたピックガードは美観で魅力が出てくる。【０００８】「他の実施形態」
図１の実施形態では、木の葉の形状を示し２枚の板材を使用して葉脈を設けたが他の実施形態では、３枚以上の板材を使用したものでも良い。
【図面の簡単な説明】
【０００９】
【図１】この考案の一実施形態を示す斜視図である。
【図２】従来技術を示す斜視図である。
【符号の説明】
【００１０】    １  板材      ２  板材      ３  従来のピックガード
【図１】
0003142716.tif 000003
【図２】
0003142716.tif 000004
(57)【要約】      （修正有）【課題】木炭の特性（調湿性、脱臭性、遠赤外線放出性）と、木炭の主成分の炭素がたくさん持つマイナス電子を効率的に利用する使用方法と形状を工夫した寝具を提供する。【解決手段】膝から足先まで収納するポケット部分２と、睡眠時の下半身部分１の両方に粉粒木炭を内臓した５で構成されている。この１と２の部分は図３に示すように、七層の素材で形成されている。炭収納生地４の素材は、通気性を確保するが粉粒木炭は漏れない素材で構成することが必要であり、又身体に触れるシーツ生地３の素材も通気性のある素材で構成する。【選択図】図３
0003142742.tif 000002
【実用新案登録請求の範囲】
【請求項１】
足部分収納ポケット部分を付けたことを特徴とする寝具。
【請求項２】
マット部分（下半身部分）と足部分収納ポケット部分（膝から足先部分）に粉粒木炭が内臓された事を特徴とする請求項１記載の寝具である。
【請求項３】
足部分収納ポケット部分をファスナー（登録商標）で取付け、取り外しが出来る事を特徴とする請求項１記載の寝具である。
【考案の詳細な説明】
【技術分野】
【０００１】  本考案は、睡眠に使用する寝具に関するものである。
【背景技術】
【０００２】  従来の木炭、竹炭を利用した寝具では、枕の中に木炭、竹炭を入れたもの、敷ふとんのシーツの下に敷くシート状に加工したものがある。
【考案の開示】
【考案が解決しようとする課題】
【０００３】  しかし、これでは、木炭使用量が少なく、木炭の特性（調湿性、脱臭性、遠赤外線放出性）と、人間を自然の状態に戻すといわれている木炭の主成分の炭素がたくさん持つマイナス電子を効果的に利用出来ず、使用方法を工夫する必要がある。
【課題を解決するための手段】
【０００４】  そこで、本考案は、睡眠時に人間が無意識に行う身体の寝返り行為にも、身体を拘束すること無く、足部分を収納出来る足部分収納ポケット部分（膝から足先部分）と寝具のマット部分（下半身部分）に粉粒状にした木炭を入れた敷布団用マットの寝具を考案した。
【考案の効果】
【０００５】  よつて、本考案の木炭パワー（足暖ポケット付き）寝具により、日本の夏季の高温多湿の環境下の湿気と、人間が睡眠中に発汗する大量の汗も炭の持つ調湿性効果で、寝具の中の環境は快適に保たれ、発汗後に発生する臭気も同時に吸着し、防臭作用効果等の相乗効果が期待出来る。又冬季には木炭の遠赤外線放出効果により、足腰の冷え性の方も使用者自身の体温放射が木炭の遠赤外線放出効果に作用し、足腰が温かく快適に睡眠出来る。又痴呆老人、身体障害者等の身体弱者、要介護者の睡眠中の突然の寝具の汚れにも、木炭の特性効果が生かされ、要介護者、介護者の精神的、身体的負担の軽減に繋がる。
【考案を実施するための最良の形態】
【０００６】  以下、本考案の実施形態に係わる木炭パワー（足暖ポケット付き）寝具の構成に関し、図１、図２、図３を用いて説明する。
［図１］木炭パワー（足暖ポケット付き）寝具の基本形を示した平面図である。
［図２］木炭パワー（足暖ポケット付き）寝具の断面図である。
［図３］木炭パワー（足暖ポケット付き）寝具の断面詳細図である。
なお、各図にわたって同一の部位には同一符号を付して説明の重複をさける。【０００７】  本考案に係る寝具は、図１、図２に示すように、膝から足先まで収納するポケット部分（２）と、睡眠時の下半身部分（１）の両方に粉粒木炭を内臓した図３に示す（５）で構成されている。この（１）と（２）の部分は図３に示すように、七層の素材で形成されている。炭収納生地（４）の素材は、通気性を確保するが粉粒木炭は漏れない素材で構成することが必要であり。又身体に触れるシーツ生地（３）の素材も通気性のある素材で構成するが望ましい。【０００８】  次に、木炭の特性効果は、水洗いし、干せば、木炭の特性効果は回復するので、マット外側のシーツ生地（３）と、取り外し出来る様な木炭収納方法にする。しかし水洗いし何度でも使用出来るといっても、木炭孔に吸着された物質は、水洗いだけではすべてを流し落とすことは出来ず、除々に吸着物質は溜まって、木炭孔が飽和状態になると、木炭の特性がなくなるので、新しい炭部分（６）に換える事が出来る構造にする。【０００９】  そして、足部分収納ポケット部分（２）は、取り付けて使用する季節は人によって多少のずれはあっても、気温の低下する晩秋から春先の期間と考えられるので、必要の無い季節には簡単に取り外し出来る様に、図３に示すようにファスナー（７）で取り付ける。又足部分収納ポケット部分（２）と、マット部分（１）の炭部分（６）の出し入れの為に、図３に示すように足部分収納ポケット部分ファスナー（８）、マット部分ファスナー（９）を取り付ける。但しこのファスナーでの取付け方法は美観、加工性、耐久力、施工性、およびコスト性に優れた材料、取付け方法があればそれを用いても構わない。【００１０】  そして、粉粒木炭（５）の密度の変動や片寄りの起こらない様に図１に示すように、マット部分（１）と足部分収納ポケット部分（２）の炭部分（粉粒木炭、炭収納生地）収納生地（６）を、上下の炭収納生地（４）と粉粒木炭（５）を貫通する格子状の粉粒木炭固定ミシン縫い目（１０）を付ける。
【図面の簡単な説明】
【００１１】
【図１】  木炭パワー（足暖ポケット付き）寝具の基本形を示した平面図である。
【図２】  木炭パワー（足暖ポケット付き）寝具の断面図である。
【図３】  木炭パワー（足暖ポケット付き）寝具の断面詳細図である。
【符号の説明】
【００１２】    １  マット部分（下半身部分）
２  足部分収納ポケット部分（膝から足先部分）
３  シーツ生地
４  炭収納生地
５  粉粒木炭
６  炭部分（粉粒木炭、炭収納生地）収納生地
７  ファスナー（１と２の部分の取り付け用）
８  足部分収納ポケット部分ファスナー（６の出し入れ用）
９  マット部分ファスナー（６の出し入れ用）
１０  粉粒木炭固定ミシン縫い目
【図１】
0003142742.tif 000003
【図２】
0003142742.tif 000004
【図３】
0003142742.tif 000005
(57)【要約】      （修正有）【課題】ペットの糞その他種々の汚物類を回収するための全水溶性の回収袋に関するもので、散歩中の犬の糞等の汚物を収容したままの袋で持参して、自宅や公園その他の水洗便所に安心かつ安全にそのまま捨去することができる水溶性の回収袋を提供する。【解決手段】アルコールを原料とした酢酸ビニールを発泡させた材料から成る水溶性袋体１から成り、またこの袋体の開口部に把手部２，２を設けて成るものである。【選択図】図１
0003142751.tif 000002
【実用新案登録請求の範囲】
【請求項１】
アルコールを原料とした酢酸ビニールを発泡させた材料から成る水溶性袋体から成ることを特徴とする汚物類回収袋。
【請求項２】
アルコールを原料とした酢酸ビニールを発泡させた材料から成る水溶性袋体を設け、この袋体の開口部に把手部を設けて成ることを特徴とする汚物類回収袋。
【考案の詳細な説明】
【技術分野】
【０００１】
本考案は、ペットの糞その他の汚物類の回収袋に関するものである。
【背景技術】
【０００２】
犬等のペットの散歩時や病院等の治療現場において起こる糞等の汚物類の回収を目的とする発明や考案としては、次のようなものが公知となっている。
【０００３】
【特許文献１】登録実用新案第３０３１８３６号公報
【特許文献２】登録実用新案第３０６５１１６号公報
【特許文献３】特開２０００−６９８６号公報
【特許文献４】特開２０００−２８７５７３号公報
【特許文献５】特開２００２−２３８３９２号公報
【特許文献６】特開２００７−１６７０１９号公報
【０００４】
しかしながら、これらに見られる袋はその全体が水溶性の性質を有する袋から成るものとは限らないため、そのまま水洗便所に流し込んで所定時間後には固形物が溶解して解消してしまうというものではなかったのである。
【考案の開示】
【考案が解決しようとする課題】
【０００５】
そこで、本考案は、例えば人が散歩中の犬の糞等の汚物を収容したままの袋を持参して、自宅や公園その他の水洗便所に安心かつ安全にそのまま捨去することができる水溶性の回収袋を提供することを目的とするものである。
【課題を解決するための手段】
【０００６】
本考案は、アルコールを原料とした酢酸ビニールを発泡させた材料から成る水溶性袋体を設けて成るものである。
【考案の効果】
【０００７】
本考案の回収袋を持参しての犬の散歩時において発糞現象が起った時、人はそれを袋体によって直に手掴みすることができるのであり、これを自宅や公園などの水洗便所において袋に収容した状態のまま投棄することができ、しかも水溶性の袋体であることにより水槽内ではその全部が迅速に溶解されることができるから、細菌等の発生も抑制され、安心で安全な回収袋となる。
【０００８】
したがって、自然環境の汚染防止や美化に貢献することができる物品としての実用的効果は大きい。
【０００９】
その他、病院等の治療現場に起こる糞等の汚物回収にも効果的な袋となる。
【考案を実施するための最良の形態】
【００１０】
例えば、人は犬の散歩時に本考案の袋体を持参した際に、犬が路端などで発糞した時は、この袋体の内側部に片手を突っ込んだ後、対象に対し袋体の外側部を接してこれを手掴みした後、袋体をくるりと回わして、掴んだ外部の対象を袋体の内部に完全に収容するようにする。
【００１１】
このようにして対象を袋体内に確保した後は、これを把手部に指を通すか締結して自宅等に持参し、水洗便所に投棄すればよい。
【００１２】
これによって、袋体と中味の固形物などは、水洗されることによってすべてきれいに溶解されるようになる。
【実施例】
【００１３】
１は袋体で、この袋体はアルコールを主原料とした酢酸ビニールを発泡させた材料から構成したもので、洗水すると水と炭酸ガスに分解される全水溶性のＰＶＡ袋体である。
【００１４】
即ち、このＰＶＡ袋体は、１５℃の水温では３０秒で、２５℃の水温では１８秒で溶解することが証明されている。
【００１５】
また、この袋体の厚さは約４０μである。
【００１６】
２，２は前記袋体１の開口部に設けた把手部で、この両把手部には手指を挿通したり、結び合わせたりする。
【図面の簡単な説明】
【００１７】
【図１】一部を拡大した袋全体の斜視図
【符号の説明】
【００１８】
１                    袋体
２，２                把手部
【図１】
0003142751.tif 000003
(57)【要約】      （修正有）【課題】香気成分含有又は担持してなる発熱剤に水を加え、発生する蒸気を利用した火を使わないお香及び線香を提供する。【解決手段】嫌がられる煙もなく、純粋な香りの拡散と火に対する安全性を重視し、原料臭（抹香臭さ）を無くすために、無臭の生石灰とアルミ微粉末を用いて発熱剤４とする。【選択図】図２
0003142527.tif 000002
【実用新案登録請求の範囲】
【請求項１】
植物の青葉から採取又は抽出した香気成分もしくは同質の合成成分を含有、又は担持してなる発熱剤に水を加え、発生する蒸気を利用した火を使わないお香及び線香。
【請求項２】
香気成分がｃｉｓ−３−ヘキセノ−ル、ｃｉｓ−３−ヘキセナ−ル、ｔｒａｎｓ−３−ヘキセノ−ル、ｔｒａｎｓ−３−ヘキセナ−ル、ｔｒａｎｓ−２−ヘキセノ−ル、ｔｒａｎｓ−２−ヘキセナ−ル、１１−ホルミル−ｃｉｓ−９−ウンデセン酸、１１−ホルミル−ｔｒａｎｓ−１０−ウンデセン酸  から選択する単独もしくは２種以上の組合せからなる成分を含有、又は担持してなる発熱剤に水を加え、発生する蒸気を利用した火を使わないお香及び線香。
【請求項３】
天然抽出香料及び各種化学香料を組合せた調合香料を含有、又は担持してなる発熱剤に水を加え、発生する蒸気を利用した火を使わないお香及び線香。
【請求項４】
香木（例えば伽羅、沈香、白檀  等）や漢方薬（例えば甘松香、カッ香、山奈、
0003142527.tif 000003
丁子、胡椒  等）の粉末を１種又は２種以上の組合せたものを、発熱剤に混合或は付随してなるものに水を加え、発生する蒸気を利用した火を使わないお香及び線香。
【考案の詳細な説明】
【技術分野】
【０００１】本考案は、原料臭（例えば木材系、バインダー系の臭い）を無くし、香料成分そのままを芳香することができる火を使わない安全で安心な、蒸気を利用したお香及び線香に関するものである。
【背景技術】
【０００２】古くから儀式や遊び、趣味として用いられてきた線香・焼香・お香類は、永年重宝され  その目的はほぼ達成されてきた。しかし  現代の生活スタイルを考慮すると、必ずしも現代人には受け入れられ難く、若年層離れが甚だしく、使用者の減少へと繋がっている。
【考案の開示】
【考案が解決しょうとする課題】
【０００３】近年  高齢化に伴い火をつける作業の煩雑さと火災の心配。又  居住空間の機密性の高さや部屋の狭さに伴い、モウモウと立ち上る煙に対する嫌悪感や、従来のお香や線香は、抹香臭さ（原料臭）が人によって好き嫌いが生じる。純粋な好みの香りを楽しめない  等の欠点を有していました。
【課題を解決するための手段】
【０００４】本考案の前記発熱剤としては、精製された生石灰とアルミ微粉末を用いた該発熱剤に水を加え、発生する蒸気を利用し、香りを拡散させる技術である。発熱は簡単な作業により短時間で生じ、安全な温度で持続することができる。拡散力は非常に高く、部屋の隅々まで瞬時にして広まる。また部屋の広さや残香の度合い  残香時間  等は香料の添加量により自由にコントロールできる。香気成分としては、特に制約されるものはなく、香料全般の使用が可能である。
【考案を実施するための最良の形態】
【０００５】図１に示す様に使い切り式と、図２に示す様に補充式となる。補充式は一度終わった発熱剤は新しく取り換えて、固形或は顆粒の香り品は２−３回使用を繰り返す構造となる。固形或は顆粒の香り品とは、シリカゲルやセラミック板  等に香料を担持或は吸着させたもの、或は香木又は漢方薬、香辛料の粉末の混合品である。
【考案の効果】
【０００６】本考案の蒸気による芳香は、香料の純粋な香りが基材臭（原料臭）に邪魔されることなく、部屋の隅々にまで広げることができる上、火を用いる従来のお香及び線香と比べ、安全で安心して使用できる優れものである。
【図面の簡単な説明】
【０００７】
【図１】本考案の蒸気を利用した火を使わないお香及び線香を構成する「使い切り式」の模式断面図である。
【図２】本考案の蒸気を利用した火を使わないお香及び線香を構成する「補充式」の模式断面図である。
【符号の説明】
１・耐熱容器    ２・発熱剤と香りの混合品    ３・水
４・発熱剤      ５・香り品
【図１】
0003142527.tif 000004
【図２】
0003142527.tif 000005
(57)【要約】【課題】コテージの居住性、テントの軽量化と組立、解体の簡易性を最大限活かす事により、自発災害時やアウトドアに、より良い居住環境を提供できる様に考案された折りたたみコテージ。【解決手段】複数の軽量部材を床パネル以外、支柱を中心に放射状にピン固定で連結して、床下地、壁、屋根を一体化にして、折りたたんで、コンパクトにした折りたたみコテージ。【選択図】図１
0003142529.tif 000002
【実用新案登録請求の範囲】
【請求項１】
中空支柱（１）の中心より放射状に高さ調整機（２ａ）を設けた床下地土台（２）と防水防寒シートを設けた壁柱（３）と防水防寒シートを設けた屋根梁（４）を支柱受座（１ｂ）（１ｄ）（１ｅ）にピン固定で連結して一体化にし、床パネルを設置して出来る折りたたみコテージ。
【考案の詳細な説明】
【技術分野】
【０００１】この考案は、自然災害時の避難所・アウトドア等の簡易居住として使用する、折りたたみコテージである。
【背景技術】
【０００２】従来、自然災害時は、公共施設の避難所・仮設プレハブ・テントが使用されている。
アウトドアについては、テント・バンガロー・コテージが使用されている。
【考案の開示】
【考案が解決しようとする課題】
【０００３】（イ）公共施設の避難所の場合、団体生活になり、プライバシーが確保できず、また窮屈な状態になっている。
（ロ）仮設プレハブの場合、多くの資材と輸送と組み立てに技術的労力、数人の作業員が必要で、多くの時間がかかる。
（ハ）テントの場合、平坦な場所の確保が必要で、地面からくる湿気と冷気ががあり居住性はあまり良いとは言えない。
（ニ）バンガロー、コテージについては、固定式が多く、基礎・土台・床下地まで水平に設置組立が必要で、さらに壁、屋根と種類・形状の異なった資材を順に間違いのないように組み立てるため、組立にも煩雑な手間が多くの作業の迅速化があまり望めない。
本考案は、以上のような欠点をなくするためになされたものである。
【課題を解決するための手段】
【０００４】考案の折りたたみコテージは、複数の軽量部材を床パネル以外、支柱（１）の中心より放射状に支柱受座（１ｂ）（１ｄ）（１ｅ）にピン固定で連結して、一体化にし、中空支柱（１）に設けた水平器（１ｇ）と高さ調整機（１ｃ）で全体の水平を見ることができ、床パネル（６）１組１／４円を折りたたみにして、４組にし、設置する。解体、折りたたんだ後は、円柱状にまとまりコンパクトにした。
【考案の効果】
【０００５】部材の一体化で、煩雑な手間がなく、簡単に組立が出来るようになり、高さ調整機を設けることで、ある程度の起伏のある場所でも設営ができ、床パネルを設置することで居住性が良くなり、解体、折りたたんだ後は、コンパクトになり持ち運び移動が容易になった。
【考案を実施するための最良の形態】
【０００６】以下、考案の実施の形態について説明する。
（イ）図４に示すように、中空支柱（１）（１ａ）受座（１ｂ）の中心より放射状に受座（１ｂ）に水平に延びている、高さ調整機（２ａ）と振れ止め（２ｂ）と水平器（２ｃ）を付けた土台（２）の一端を受座（１ｂ）にピン固定で連結。
（ロ）その土台（２）の先端に、高さ調整機（３ａ）と振れ止め（３ｃ）と壁、防水、防寒シート（３ａ）が付いている柱（３）の下部をピン固定で連結し、柱（３）の上部先端を屋根、防水、防寒シートが付いている屋根（４）の一端にピン固定で連結。
（ハ）屋根梁（４）のもう一端を中空支柱受座（１ｄ）にピン固定で連結し、屋根梁（４）の、棟先端より１／３の長さの位置に中空支柱（１ｅ）にピン固定されている方づえ（５）をピン固定で連結。
（ニ）土台（２）の上部に床パネル（６）、１組１／４円を折りたたんだ４組を設置して出来る折りたたみコテージである
【実施例】
【０００７】図面を参照しながら、本考案の折りたたみコテージの実施例を説明する。
（イ）図１は折りたたんである状態の、折りたたみコテージである
（ロ）折りたたみコテージを設置場所に立て、土台（２）を図２・図３の様に折って広げる。
（ハ）土台（２）と柱（３）の長さを足した分中空支柱（１ａ）を上げ、その長さを超えた時点で、中空受座（１ｅ）を上げ、中空支柱（１ａ）を下げると図３のようになり、中空支柱（１ａ），中空支柱（１ｅ）を所定の位置で固定する。
（ニ）水平、垂直を、水平器（１ｇ）を見て、高さ調整機（１ｃ）で受座（１ｂ）を、水平にする、土台（２）は受座（１ｂ）に水平に延びているので高さ調整機（２ａ）（３ｂ）の高さは、その差をのばして定着させる。
各部材の自重によりたわみが障じた場合、土台（２）の先端に付いている水平器（２ｃ）を見て調整する。
（ホ）土台（２）の振れ止め（２ｂ）、壁柱（３）の振れ止め（３ｃ）を開いて受座に取付け、床パネル（６）、１組１／４円を折りたたんだ４組を設置する。
（ヘ）中空支柱（１）、（１ａ）が空間に支障がある場合、中空受座（１ｅ）下端から、受座（１ｂ）の床レベルまで、取り外すことが出来る、折りたたみコテージである。
【産業上の利用可能性】
【０００８】本考案は、自然災害時の避難所、アウトドア、休憩所、仮設事務所、仮設店舗等の簡易居住として使用する折りたたみコテージである。
【図面の簡単な説明】
【０００９】
【図１】折りたたんだ斜視図。
【図２】実施例の断面斜視図
【図３】実施例の斜視図
【図４】実施例の斜視図
【図５】断面斜視図
【図６】完成した斜視図
【符号の説明】
【００１０】１．  中空支柱
１ａ．中空支柱
１ｂ．土台受座
１ｃ．高さ調整機
１ｄ．梁受座
１ｅ．方づえ中空受座
１ｆ．笠木
１ｇ．水平器
２．  土台
２ａ．高さ調整機
２ｂ．振れ止め
２ｃ．水平器
３．  柱
３ａ．壁防水防寒シート
３ｂ．高さ調整機
３ｃ．振れ止め
４．  屋根梁
４ａ．屋根防水防寒シート
５．  方づえ
６．  床パネル
【図１】
0003142529.tif 000003
【図２】
0003142529.tif 000004
【図３】
0003142529.tif 000005
【図４】
0003142529.tif 000006
【図５】
0003142529.tif 000007
【図６】
0003142529.tif 000008
(57)【要約】      （修正有）【課題】軽量で携帯に優れ、長時間の使用も可能とし、器具や薬にゆだねない自然治癒力による健康づくりに寄与するために、いつでもどこでも手軽に効果が得られるマッサージ布を提供する。【解決手段】マッサージ布はサテン布と綿布を組み合わせ持ち手を取り付けた構造となっている。さらに、より摩擦を低減し使いやすくするために絹布と綿布の組み合わせによる構造もある。なお、サテン布又は絹布が肌に接する面となる。また軽量でコンパクトなため常に持ち歩いて、いつでもどこでも使用できる。【選択図】図４
0003142523.tif 000002
【実用新案登録請求の範囲】
【請求項１】
首筋をはじめ、頭や肩などのマッサージをするための、手のひら大の布を縫い合わせて袋状にし、持ち手を取り付けたハンドマッサージ布
【請求項２】
二枚又は複数枚の布を重ねることで手と肌の摩擦を解消した、請求項１のハンドマッサージ布
【請求項３】
布を使用した軽量化と携帯性を特徴とするハンドマッサージ布
【考案の詳細な説明】
【技術分野】
【０００１】  本考案は、携帯に便利で長時間の使用にも負担にならない軽量のハンドマッサージ布に関するものである。
【背景技術】
【０００２】  従来から仕事や家事などの日常生活において肩や首のこりや頭痛がするような場合には、応急措置として服の上から又は直接肌に手をあててマッサージしたり、マッサージ器がある自宅などに場所を移動するなどしていた。
しかし、外出時や仕事中には長時間のマッサージやマッサージ器具を使用することは困難であるため、早めに適度なマッサージを施せば解消される症状であっても、症状を悪化させてしまうことがあった。
それらを改善するための携帯用マッサージ器具は、硬い部材とローラーやボール状の部材を組み合わせた構造のものがある。
公開番号  特開２００６−１４１９６９
【考案の開示】
【考案が解決しようとする課題】
【０００３】  従来の携帯用マッサージ器具は、ハンドバック等に入れて持ち運ぶには不便であり、職場など人目のあるところでの使用は抵抗があるようなデザインのもので、携帯性に欠けていた。また、人の手による微妙な力の調整もできないため、使用方法によっては痛みを覚えたり、かえって症状を悪化させるという欠点もあった。
さらに、自分の手を使う場合には服の上からでは衣類との摩擦がおき、肌に直接する場合には汗や油の影響で摩擦がおきると共に、マッサージで衣類や肌をいためる原因となっていた。
【課題を解決するための手段】
【０００４】  本考案は、かさばらず軽量であるために携帯に便利であると共に、長時間のマッサージを可能としたマッサージ布である。軽量でコンパクトなため常に持ち歩いて、いつでもどこでも使用できる。また、二枚又は複数枚の布を構造に用い、布同士の摩擦が発生することで、衣類や肌への摩擦を低減させることができることにより問題点を解決している。
【考案の効果】
【０００５】  本考案のマッサージ布は、軽量で携帯に優れ、長時間の使用も可能とした健康用具である。本マッサージ布の普及は、器具や薬にゆだねない自然治癒力による健康づくりに寄与する。
【考案を実施するための最良の形態】
【０００６】  本考案のマッサージ布はサテン布と綿布を組み合わせ持ち手を取り付けた構造となっている。さらに、より摩擦を低減し使いやすくするために絹布と綿布の組み合わせによる構造もある。なお、サテン布又は絹布が肌に接する面となる。
【実施例】
【０００７】  以下、添付図面に従って実施例を説明する。本考案におけるマッサージ布は、図４に示す形状をとり、その詳細は、円形の絹布の周囲にタックをとった図１の絹布と図２に示す綿布を縫い合わせたものであり、携帯に便利なよう、図３に示すナイロン布による中指を差し込む輪状の持ち手をナイロン糸により本体に取り付けてある。
実際に使用したところ、手の感覚で微妙な力加減と長時間のマッサージが可能であることから快適に使用でき、１０人中７人の頭痛が解消した、目の疲れが取れた、顔のたるみがなくなったなどの効果が見られた。
【産業上の利用可能性】
【０００８】
【図面の簡単な説明】
【０００９】
【図１】サテン布又は絹布（接肌面）
【図２】綿布
【図３】持ち手
【図４】マッサージ布
【符号の説明】
【００１０】  １．患部に接する面
２．手当部
３．持ち手
【図１】
0003142523.tif 000003
【図２】
0003142523.tif 000004
【図３】
0003142523.tif 000005
【図４】
0003142523.tif 000006
【手続補正書】
【提出日】平成20年3月6日(2008.3.6)
【手続補正１】
【補正対象書類名】実用新案登録請求の範囲
【補正対象項目名】全文
【補正方法】変更
【補正の内容】
【実用新案登録請求の範囲】
【請求項１】
首筋をはじめ、頭や肩などのマッサージをするための、手のひら大の布を縫い合わせて袋状にし、持ち手を取り付けたハンドマッサージ布
【請求項２】
色々な種類の布地を使用し、二枚又は複数枚の布を重ねることで手と肌の摩擦を解消した、請求項１のハンドマッサージ布
(57)【要約】      （修正有）【課題】牌が見え易くかつ、倒れにくい麻雀遊戯の補助具を提供する。【解決手段】麻雀牌を斜めに立てることの出来る麻雀立て本体１、麻雀立て本体１の左右両側端に牌止め２を付け、背面に１７牌の麻雀牌が並ぶマークを付け、麻雀立て本体１の牌を並べる部分に３０度の角度とすることで、麻雀牌を斜めに立てることで、牌を見え易くする。【選択図】図５
0003142521.tif 000002
【実用新案登録請求の範囲】
【請求項１】
麻雀牌を斜めに立てることの出来る麻雀牌台、麻雀台には両側に牌止めえを付け、背面に１７牌の麻雀牌が並ぶマークを付けマーク内に牌を並べれば１７牌が並ぶ、麻雀牌を斜めに置く事出来る牌たて。
【考案の詳細な説明】
【技術分野】
【０００１】本考案は麻雀遊戯の補助具
【背景技術】
【０００２】高齢化の現在、麻雀が今ボケ防止としてもう一度見直されている、そんな中で牌が見にくい、牌が倒れ易いとの声を聞く事が多い。
【考案が解決しようとする課題】
【０００３】麻雀牌は立てて競技してきたので麻雀牌が見にくくなった者などは牌を離して競技を進行中に誤牌、牌が倒れるなどが起き進行が止まる事が有った、又１７牌を積む時は慣れた方はスムーズに積む事が出来るが初心者、高齢者などは大変な思いをして来た、この考案で解消する事が出来る。
【課題を解決する為の手段】
【０００４】本考案は麻雀牌を斜に置く事ができる、牌立て台の角度は３０度にする事で他家に見えにくく、又本台は牌がすべりやすい素材を使用しているので滑らかに理牌しやすく、ロンは中央に倒し、ノーテンは手前に倒すこともスムーズに行われ、背面に１７牌を並べるマークを付けそのマーク内に牌を並べれば１７牌を並べる事ができる。
【考案の効果】
【０００５】考案は麻雀牌を斜めに立てる事によって牌が見やすくなり目の疲れが軽減され、牌の理牌がスムーズに行われ、無駄な時間を使わず麻雀競技に専念できる。
【図面の簡単な説明】
【０００６】
【図１】上面図
【図２】正面図
【図３】背面図
【図４】右側面図
【図５】斜視図
【符号の説明】
【０００７】１  麻雀立て本体
２  麻雀牌止め
３  背面図
４  麻雀牌１７牌の目印マーク
【図１】
0003142521.tif 000003
【図２】
0003142521.tif 000004
【図３】
0003142521.tif 000005
【図４】
0003142521.tif 000006
【図５】
0003142521.tif 000007
【手続補正書】
【提出日】平成20年3月6日(2008.3.6)
【手続補正１】
【補正対象書類名】実用新案登録請求の範囲
【補正対象項目名】全文
【補正方法】変更
【補正の内容】
【実用新案登録請求の範囲】
【請求項１】
麻雀牌を斜めに立てることの出来る麻雀補助具、
麻雀補助具の両側に牌止めを付け、背面に１７牌の麻雀牌が並ぶマークを付けマーク内に牌を並べれば１７牌が並ぶ、牌立台の角度を３０度にする事で麻雀牌を斜めに立てる事ができる、麻雀補助具。
(57)【要約】      （修正有）【課題】装葬品を遺体と共に火葬しても焼却されたり原形をとどめなくなるようなことなく、遺品として残すことができるようにし、故人を偲ぶことができるようにしたこと。【解決手段】鉄や土器、陶磁器のような金属、非金属、石や土、その他火葬した際にもその形状が崩れたり、溶けたりすることがない材料で作られ、かつ故人が愛した動物や仏像やその他故人を偲ぶ副葬品１を棺に収めて荼毘に付し、かかる副葬品１の表面に故人の遺灰２を付着させ、所望のケース３に収容したこと。【選択図】図３
0003142528.tif 000002
【実用新案登録請求の範囲】
【請求項１】
鉄や土器、陶磁器のような金属、非金属、石や土、その他火葬した際にもその形状が崩れたり、溶けたりすることがない材料で作られ、かつ故人が愛した動物や仏像やその他故人を偲ぶ装葬品（１）を棺に収めて荼毘に付し、かかる装葬品（１）の表面に故人の遺灰（２）を付着させ、所望のケース（３）に収容したことを特徴とする装葬品。
【考案の詳細な説明】
【技術分野】
【０００１】本案は、故人を偲ぶ装葬品に関する。
【背景技術】
【０００２】遺体を火葬するとき、仏像などを棺の中の遺体と共に入れて火葬にしても支障ない副葬品（特許文献１参照）の考案がなされている。【０００３】しかし従来のそれら副装葬品は、遺体と共に焼却されるもので故人を偲ぶ遺品とはなり得なかった。
【特許文献１】登録実用新案第３０３７５５０号（要約書）
【考案の開示】
【考案が解決しようとする課題】
【０００４】而して本考案の目的は上記欠点を除去するもので、上記装葬品を愛玩動物などを含む遺体と共に火葬しても、その原形をとどめ遺品として残すことができるようにしたことである。
【課題を解決するための手段】
【０００５】しかして本考案の特徴は、鉄や土器、陶磁器のような金属、非金属、石や土、その他火葬した際にもその形状が崩れたり、溶けたりすることがない材料で作られ、かつ故人が愛した動物や仏像やその他故人を偲ぶ装葬品（１）を棺に収めて荼毘に付し、かかる装葬品（１）の表面に故人の遺灰（２）を付着させ、所望のケース（３）に収容したことにある。
【本案の効果】
【０００６】而して、仮令えば故人が犬をこよなく愛していたとする。この場合この犬と外観的に類似させかつ、仮令火葬した際でも燃え尽きない材料で造られた装葬品本体を用意する。
【０００７】続いてこの装葬品本体を遺体とともに火葬し、これを取り出すとかかる装葬品本体は、その表面に遺体の遺灰等が付着して、恰も故人の思いが犬に乗り移った感を呈する装葬品本体が得られることになる。
【０００８】そしてこれを適当な容器に収めて位牌と共に飾り、あるいは墓石や仏壇に供えることで故人を偲ぶことができるのである。
【０００９】また上記の装葬品本体（１）はこれが火葬の際焼却してしまわないものであれば、どんな材料どんな形状でもよいが、特に宝石等は高熱に充分耐え出棺後は故人の魂が乗り移った形見として遺族に分け与えることもできるのである。
【実施例１】
【００１０】次に本考案の一実施例を述べる。
しかして図で（１）は、鉄や土器、陶磁器のような金属、非金属、石や土、その他火葬した際にもその形状が崩れたり、溶けたりすることがない材料で作られ、かつ故人が愛した動物や仏像やその他故人を偲ぶ装葬品で、ここでは故人が生前愛した「犬」を例にした。【００１１】なお、この装葬品本体（１）は故人が仏教の信者であれば各種仏舎利の像，キリスト教の信者であれば十字架，さらには故人が将棋好きであったら将棋の駒，ゴルフが好きであっパターの形状など、その他何でも故人の趣味や嗜好，信仰などから自由に選べる。【００１２】ただし、この場合その材料は火葬の際の高熱でもその形状が崩れることがない、たとえば石膏や陶器，磁器や、粘土及び鉄を主体とするような金属、若しくは貴金属、あるいは自然石に各種の彫刻などの造型で作られることが肝要である。またその大きさは２〜５ｃｍ程度とすることが好ましい。【００１３】しかしてかかる装葬品本体（１）を棺（図示せず）に収めて荼毘に付し、かかる装葬品本体（１）の表面に故人の遺灰（２）を付着させることで、恰も故人の思いが犬に乗り移った感を呈する装葬品本体（１）が得られることになる。【００１４】ついで、この装葬品本体（１）を透明な適当なケース（３）に収めて、位牌と共に飾りあるいは墓石や仏壇に供えることで故人を偲ぶことができるのである。なおこの場合ケース（３）内の装葬品本体（１）の周囲には、蓮の花などの装飾品（４）を飾ることが好ましい。【００１５】なお、上記ケース（３）には故人が生前好きだった言葉など、その外観に書き込むこともできるのである。
【図面の簡単な説明】
【００１６】
【図１】装葬品本体の一例説明図
【図２】同焼却後の一部拡大正面図
【図３】ケースに収められた装葬品本体の正面図
【符号の説明】
【００１７】１  装葬品本体
２  遺灰
３  ケース
４  装飾品
【図１】
0003142528.tif 000003
【図２】
0003142528.tif 000004
【図３】
0003142528.tif 000005